(57)【要約】【課題】プラズマディスプレイ装置の駆動ボードを改善して、プラズマディスプレイパネルの大型化による製造費用を節減し、電極の損傷を防止するプラズマディスプレイ装置を提供する。【解決手段】本発明の一実施の形態に係るプラズマディスプレイ装置は、導電性の連結パッドで共通連結されたサステイン電極を有するプラズマディスプレイパネルと、サステイン電極を駆動するための少なくとも二つ以上のＺサステインボードと、Ｚサステインボードを電気的に連結し、Ｚサステインボード間の電流を疎通させる電流疎通部と、を備える。【選択図】図6
2007156472.tif 000002
【特許請求の範囲】
【請求項１】
導電性の連結パッドで共通連結されたサステイン電極を有するプラズマディスプレイパネルと、
前記サステイン電極を駆動するための少なくとも二つ以上のＺサステインボードと、
前記Ｚサステインボードを電気的に連結し、前記Ｚサステインボード間の電流を疎通させる電流疎通部と、を備えるプラズマディスプレイ装置。
【請求項２】
前記電流疎通部は、前記Ｚサステインボード間の駆動ばらつきによる電流を疎通させるばらつき電流疎通部であることを特徴とする請求項１に記載のプラズマディスプレイ装置。
【請求項３】
前記電流疎通部の抵抗値は、前記連結パッドの抵抗値よりも小さいことを特徴とする請求項１に記載のプラズマディスプレイ装置。
【請求項４】
前記電流疎通部は、プリント回路基板（ＰＣＢ）、フレキシブルプリント回路基板（Ｆｌｅｘｉｂｌｅ Ｐｒｉｎｔｅｄ Ｃｉｒｃｕｉｔ）および導電性金属のいずれか一つであることことを特徴とする請求項１に記載のプラズマディスプレイ装置。
【請求項５】
前記電流疎通部は、前記Ｚサステインボードの出力端を電気的に連結することを特徴とする請求項１に記載のプラズマディスプレイ装置。
【請求項６】
前記プラズマディスプレイパネルの大きさは、７０インチ以上であることを特徴とする請求項１に記載のプラズマディスプレイ装置。
【請求項７】
少なくとも二つ以上の電極群に分割され、前記電極群毎に導電性の連結パッドで連結されたサステイン電極を有するプラズマディスプレイパネルと、
前記各電極群を駆動するためのＺサステインボードと、
前記Ｚサステインボードを電気的に連結し、前記Ｚサステインボード間の電流を疎通させる電流疎通部と、を備えるプラズマディスプレイ装置。
【請求項８】
前記電流疎通部は、前記Ｚサステインボード間の駆動ばらつきによる電流を疎通させるばらつき電流疎通部であることを特徴とする請求項７に記載のプラズマディスプレイ装置。
【請求項９】
前記電流疎通部の抵抗値は、前記連結パッドの抵抗値よりも小さいことを特徴とする請求項７に記載のプラズマディスプレイ装置。
【請求項１０】
前記電流疎通部は、プリント回路基板（ＰＣＢ）、フレキシブルプリント回路基板（Ｆｌｅｘｉｂｌｅ Ｐｒｉｎｔｅｄ Ｃｉｒｃｕｉｔ）および導電性金属のいずれか一つであることを特徴とする請求項７に記載のプラズマディスプレイ装置。
【請求項１１】
前記電流疎通部は、前記Ｚサステインボードの出力端を電気的に連結することを特徴とする請求項７に記載のプラズマディスプレイ装置。
【請求項１２】
前記プラズマディスプレイパネルの大きさは、７０インチ以上であることを特徴とする請求項７に記載のプラズマディスプレイ装置。
【発明の詳細な説明】
【技術分野】
【０００１】
本発明は、プラズマディスプレイ装置に関する。
【背景技術】
【０００２】
一般に、プラズマディスプレイパネル（以下、「ＰＤＰ」という。）は、Ｈｅ＋ＸｅまたはＮｅ＋Ｘｅの不活性混合ガスの放電の際に発生する１４７ｎｍの紫外線により、蛍光体を発光させることにより、文字またはグラフィックを含めた画像を表示するようになる。
【０００３】
図１は、従来の交流型ＰＤＰを構成する一つの放電セルを拡大して示す図である。図１に示した放電セル３０は、上部基板１０上に順次形成されたサステイン電極対１２Ａ、１２Ｂ、上部誘電体層１４、および保護膜１６を有する上板と、下部基板１８上に順次形成されたデータ電極２０、下部誘電体層２２、隔壁２４、および蛍光体層２６を有する下板とを備える。
【０００４】
サステイン電極対１２Ａ、１２Ｂのそれぞれは、透明電極と、その透明電極の高い抵抗を補償するための金属電極とで構成される。このようなサステイン電極対１２Ａ、１２Ｂは、スキャン電極１２Ａとサステイン電極１２Ｂに分離される。スキャン電極１２Ａは、アドレス放電のためのスキャン信号とサステイン放電のためのサステイン信号を、サステイン電極１２Ｂは、サステイン信号を主に供給する。
【０００５】
データ電極２０は、サステイン電極対１２Ａ、１２Ｂと交差して形成される。このデータ電極２０は、アドレス放電のためのデータ信号を供給する。上部誘電体層１４と下部誘電体層２２には、放電で生成した電荷が蓄積される。保護膜１６は、放電時のスパッタリングによる上部誘電体層１４の損傷を防止し、二次電子の放出効率を増加させる。このような誘電体層１４、２２と保護膜１６は、外部から印加される放電電圧を低くすることができる。
【０００６】
隔壁２４は、上下部基板１０、１８と共に放電空間を形成する。また、隔壁２４は、データ電極２０と並んで形成され、ガス放電により生成した紫外線が隣接したセルに漏れることを防止する。蛍光体層２６は、下部誘電体層２２および隔壁２４の表面に塗布され、赤色、緑色、または青色の可視光を発生する。放電空間には、ガス放電のためのＨｅ、Ｎｅ、Ａｒ、Ｘｅ、Ｋｒ等の不活性ガス、これらが組み合わされた放電ガス、または放電により紫外線を発生させるエキシマーガスが充填される。このような構造の放電セル３０は、データ電極２０とスキャン電極１２Ａによる対向放電で選択された後、サステイン電極対１２Ａ、１２Ｂによる面放電で放電を維持する。
【０００７】
これにより、放電セル３０では、スキャン放電の際に発生する紫外線により蛍光体２６が発光することにより、可視光が放出される。この場合、放電セル３０は、ビデオデータに応じて、サステイン放電期間、すなわち、サステイン放電回数を調節し、映像の表示に必要な階調を具現するようになる。また、赤色、緑色、青色の蛍光体２６がそれぞれ塗布された３つの放電セルの組合せで、１画素のカラーを具現する。
【０００８】
図２は、図１に示した放電セル３０を含むＰＤＰの全体的な電極配置の構造を示す図である。図２において、放電セル３０は、スキャン電極線Ｙ１乃至Ｙｍ、サステイン電極線Ｚ１乃至Ｚｍ、およびデータ電極線Ｘ１乃至Ｘｎの交差地点毎に構成されることが分かる。スキャン電極線Ｙ１乃至Ｙｍは、スキャンパルスとサステインパルスを供給し、放電セル３０がライン単位でスキャンされると共に、放電セル３０で放電が維持されるようにする。サステイン電極線Ｚ１乃至Ｚｍは、共通してサステインパルスを供給し、前記スキャン電極線Ｙ１乃至Ｙｍと共に、放電セル３０で放電が維持されるようにする。データ電極線Ｘ１乃至Ｘｎは、前記スキャンパルスと同期するデータパルスをライン単位で供給し、データパルスの論理値に応じて、放電が維持されるべき放電セル３０が選択されるようにする。
【０００９】
このようなＰＤＰの駆動方法としては、アドレス期間とディスプレイ期間、すなわち、サステイン期間に分離され駆動させるＡＤＳ（Ａｄｄｒｅｓｓ ａｎｄ Ｄｉｓｐｌａｙ Ｓｅｐａｒａｔｉｏｎ）駆動方法が代表的である。ＡＤＳ駆動方法では、１フレームをビデオデータの各ビットに該当する複数のサブフィールドに分割し、そのサブフィールドのそれぞれをさらにリセット期間およびアドレス期間とサステイン期間に分割する。このようなサブフィールドのそれぞれは、リセット期間ＲＰＤおよびアドレス期間ＡＰＤは、同一に付与し、サステイン期間ＳＰＤに異なる重み付けをする。これにより、ＰＤＰは、ビデオデータに応じて、放電を維持するサステイン期間の組合せで、そのビデオデータに該当する階調を表現する。
【００１０】
図３は、複数のサブフィールドの１サブフィールドＳＦ１において、図２に示したＰＤＰに供給される一般の駆動波形を示す図である。
【００１１】
図３のように、ＰＤＰは、リセット期間ＲＰＤにおいて、リセットパルスＲＰを用いて、前面ライティング放電を生じた後、壁電荷を消去し、全ての放電セル３０を壁電荷が残留するオフ状態に初期化させる。このため、スキャン電極線Ｙ１乃至Ｙｍには、リセットパルスＲＰとして、ステップ電圧Ｖｓを基準として、ピーク電圧Ｖｒに徐々に増加する立上りランプパルスと、基底電圧０Ｖに徐々に減少する立下りランプパルスが供給される。立上りランプパルスにより、全ての放電セル３０では、１次暗放電が発生する。その後、立下りランプパルスと、サステイン電極線Ｚ１乃至Ｚｍに供給されるバイアスパルスＢＰにより、全ての放電セル３０では、２次暗放電が発生する。次いで、立下りランプパルスにより、スキャン電極線Ｙ１乃至Ｙｍおよびサステイン電極線Ｚ１乃至Ｚｍに形成された壁電荷が減少することにより、全ての放電セル３０は、壁電荷が残留するオフ状態に初期化する。このようなリセット期間ＲＰＤにおいて、データ電極線Ｘ１乃至Ｘｎの電圧は、基底電圧０Ｖに固定される。
【００１２】
アドレス期間ＡＰＤにおいて、スキャン電極線Ｙ１乃至Ｙｍには、ライン単位でスキャンパルスＳＰが供給されると共に、そのスキャンパルスＳＰに同期して、データ電極線Ｘ１乃至Ｘｎのそれぞれに、データパルスＤＰが選択的に供給される。これにより、スキャンパルスＳＰと共にデータパルスＤＰが供給された放電セルでは、アドスレス放電が発生することにより、次のサステイン放電のための壁電荷が充分に形成されたオン状態となる。これに対して、スキャンパルスＳＰと共にデータパルスＤＰが供給されていない放電セルでは、アドスレス放電が発生しないことにより、オフ状態を維持する。
【００１３】
サステイン期間ＳＰＤにおいて、スキャン電極線Ｙ１乃至Ｙｍとサステイン電極線Ｚ１乃至Ｚｍに、交互にＹおよびＺサステインパルスＳＵＳＰｙ、ＳＵＳＰｚを供給し、前記アドレス期間ＡＰＤで決定された放電セルの状態を維持する。具体的に、アドレス期間ＡＰＤにおいて壁電荷が充分に形成されたオン状態の放電セルは、ＹおよびＺサステインパルスＳＵＳＰｙ、ＳＵＳＰｚによる放電でオン状態を維持し、オフ状態の放電セルは、放電無しにオフ状態を維持する。このようなサステイン期間ＳＰＤに続く消去期間ＥＰＤにおいて、サステイン電極線Ｚ１乃至Ｚｍに消去パルスＥＰを供給し、消去放電を引き起こすことにより、全ての放電セル３０に存在する壁電荷が消去されるようにする。
【００１４】
図４は、従来のプラズマディスプレイ装置を示す図である。
【００１５】
図４に示すように、従来のプラズマディスプレイ装置は、ＰＤＰ４０のスキャン電極線Ｙ１乃至Ｙｍを駆動するためのスキャン駆動部４５と、サステイン電極線Ｚ１乃至Ｚｍを駆動するためのサステイン駆動部４７と、データ電極線Ｘ１乃至Ｘｎを駆動するためのデータ駆動部４９と、スキャン駆動部４５、サステイン駆動部４７、およびデータ駆動部４９を制御するための制御盤４２と、スキャン駆動部４５、サステイン駆動部４７、データ駆動部４９、および制御盤４２のそれぞれに電源を供給する電源盤（図示せず）と、を備える。
【００１６】
スキャン駆動部４５は、図３に示したリセットパルスＲＰおよびスキャンパルスＳＰを発生するスキャンドライバーボード４４と、ＹサステインパルスＳＵＳＰｙを発生するＹサステインボード４６とを備える。スキャンドライバーボード４４は、Ｙフレキシブルプリント回路フィルム（Ｆｌｅｘｉｂｌｅ Ｐｒｉｎｔｅｄ Ｃｉｒｃｕｉｔ、以下、「ＦＰＣ」という。）５１を経由して、スキャンパルスＳＰをＰＤＰ４０のスキャン電極線Ｙ１乃至Ｙｍに供給する。Ｙサステインボード４６は、スキャンドライバーボード４４およびＹ ＦＰＣ５１を経由して、ＹサステインパルスＳＵＳＰｙをスキャン電極線Ｙ１乃至Ｙｍに供給する。
【００１７】
サステイン駆動部４７は、図３に示したバイアスパルスＢＰおよびＺサステインパルスＳＵＳＰｚを発生するＺサステインボード４８を備え、Ｚサステインボードは、Ｚ ＦＰＣ５２を経由して、ＰＤＰ４０のサステイン電極線Ｚ１乃至ＺｍにバイアスパルスＢＰおよびＺサステインパルスＳＵＳＰｚを供給する。
【００１８】
データ駆動部４９は、図３に示したデータパルスＤＰを発生するデータドライバーボード５０を備え、データドライバーボード５０は、Ｘ ＦＰＣ５４を経由して、ＰＤＰ４０のデータ電極線Ｘ１乃至ＸｎにデータパルスＤＰを供給する。
【００１９】
制御盤４２は、スキャン、サステイン、データ駆動部４５、４７、４９のタイミング制御信号を発生する。また、制御盤４２は、第１のＦＰＣ５６を経由して、Ｙタイミング制御信号をスキャン駆動部４５へ、第２のＦＰＣ５８を経由して、Ｚタイミング制御信号をサステイン駆動部４７へ、第３のＦＰＣ６０を経由して、Ｘタイミング制御信号をデータ駆動部４５へ供給する。
【００２０】
一方、最近、ＰＤＰの高解像度の製品が本格化することにより、Ｆｕｌｌ ＨＤ（１９２０＊１０８０）の解像度を具現する大型のＰＤＰ製品が開発されている。このようなＰＤＰの大型化の傾向は、図４に示した駆動ボードをなすプリント回路基板（ＰＣＢ）の大型化を要求するが、製造費用、駆動の安定性の側面からみると、大型の単一プリント回路基板でＰＤＰを駆動しにくいという問題点があった。したがって、大型のＰＤＰを駆動するために駆動ボードの分割が不可避である。しかしながら、このような駆動ボードの分割は、駆動ボードに実装された様々な駆動素子の動作特性上のばらつきにより、いろいろな問題点を引き起こす。
【００２１】
図５は、Ｚサステインボードの分割によるサステインパルスの駆動ばらつきを示す図である。
【００２２】
図５に示すように、Ｚサステインボードの分割は、各Ｚサステインボード内に実装された様々なスイッチング素子の動作特性上のばらつきにより、サステイン電極に出力されるサステインパルス間に時間的な側面でのばらつき（ΔＴ）を引き起こす。
【００２３】
このようなサステインパルスの駆動ばらつきは、サステイン電極の共通連結部分に流れる電流ばらつきによる発熱を引き起こし、サステイン電極を損傷させるという問題点があった。
【発明の開示】
【発明が解決しようとする課題】
【００２４】
本発明の目的は、プラズマディスプレイ装置の駆動ボードを改善して、ＰＤＰの大型化による製造費用を節減し、電極の損傷を防止するプラズマブィスプレイ表示装置を提供するところにある。
【課題を解決するための手段】
【００２５】
前記の目的を達成するために、本発明の一実施の形態に係るプラズマディスプレイ装置は、導電性の連結パッドで共通連結されたサステイン電極を有するＰＤＰと、前記サステイン電極を駆動するための少なくとも二つ以上のＺサステインボードと、前記Ｚサステインボードを電気的に連結し、前記Ｚサステインボード間の電流を疎通させる電流疎通部と、を備える。
【００２６】
また、前記電流疎通部は、前記Ｚサステインボード間の駆動ばらつきによる電流を疎通させるばらつき電流疎通部であることが好ましい。
【００２７】
また、前記電流疎通部の抵抗値は、前記連結パッドの抵抗値よりも小さいことが好ましい。
【００２８】
また、前記電流疎通部は、プリント回路基板（ＰＣＢ）、フレキシブルプリント回路フィルム（ＦＰＣ）および導電性金属のいずれか一つであることが好ましい。
【００２９】
また、前記電流疎通部は、前記Ｚサステインボードの出力端を電気的に連結することが好ましい。
【００３０】
前記ＰＤＰの大きさは、７０インチ以上であることが好ましい。
【００３１】
本発明の他の実施の形態に係るプラズマディスプレイ装置は、少なくとも二つ以上の電極群に分割され、前記電極群毎に導電性の連結パッドで連結されたサステイン電極を有するＰＤＰと、前記各電極群を駆動するためのＺサステインボードと、前記Ｚサステインボードを電気的に連結し、前記Ｚサステインボード間の電流を疎通させる電流疎通部と、を備える。
【００３２】
また、前記電流疎通部は、前記Ｚサステインボード間の駆動ばらつきによる電流を疎通させるばらつき電流疎通部であることが好ましい。
【００３３】
また、前記電流疎通部の抵抗値は、前記連結パッドの抵抗値よりも小さいことが好ましい。
【００３４】
また、前記電流疎通部は、プリント回路基板（ＰＣＢ）、フレキシブルプリント回路フィルム（ＦＰＣ）および導電性金属のいずれか一つであることが好ましい。
【００３５】
また、前記電流疎通部は、前記Ｚサステインボードの出力端を電気的に連結することが好ましい。
【００３６】
前記ＰＤＰの大きさは、７０インチ以上であることが好ましい。
【発明の効果】
【００３７】
本発明によれば、ＰＤＰの大型化による製造費用を節減し、サステイン電極の損傷を防止し、かつ、安全な駆動を行うことができるという効果が得られる。
【発明を実施するための最良の形態】
【００３８】
前記の目的以外に本発明の他の目的及び特徴は、添付図面を参照した実施形態についての説明を通じて明白に表れる。
【００３９】
図６は、本発明の一実施の形態に係るプラズマディスプレイ装置を示す図であり、図７は、図６をサステイン電極の一構造と連関させて示す概略図である。
【００４０】
図６および図７に示すように、本発明の一実施の形態に係るプラズマディスプレイ装置は、スキャン電極Ｙ１乃至Ｙｎと、データ電極Ｘ１乃至Ｘｍと、導電性の連結パッド７００で共通連結されたサステイン電極Ｚ１乃至Ｚｎとを有するＰＤＰ４００と、スキャン電極Ｙ１乃至Ｙｎを駆動するためのスキャン駆動部４５０と、サステイン電極Ｚ１乃至Ｚｎを駆動するための少なくとも二つ以上のＺサステインボード４８０ａ、４８０ｂを有するサステイン駆動部４７０と、データ電極Ｘ１乃至Ｘｍを駆動するためのデータ駆動部４９０と、スキャン駆動部４５０とサステイン駆動部４７０とデータ駆動部４９０とを制御するための制御盤４２０と、スキャン駆動部４５０とサステイン駆動部４７０とデータ駆動部４９０のそれぞれに電源を供給する電源盤（図示せず）と、Ｚサステインボード４８０ａ、４８０ｂを電気的に連結し、Ｚサステインボード４８０ａ、４８０ｂ間の駆動ばらつきによる電流を疎通（伝達）させる電流疎通部６９０と、を備える。
【００４１】
ＰＤＰ４００は、スキャン電極Ｙ１乃至Ｙｎと、導電性の連結パッド７００で共通連結されたサステイン電極Ｚ１乃至Ｚｎと、スキャン電極Ｙ１乃至Ｙｎとサステイン電極Ｚ１乃至Ｚｎと交差する方向に形成されたデータ電極Ｘ１乃至Ｘｍとを備える。ＰＤＰ４００はの大きさは、７０インチ以上であってもよい。
【００４２】
スキャン駆動部４５０は、ＰＤＰ４００の駆動の際、リセット期間とアドレス期間にリセットパルスおよびスキャンパルスを発生するスキャンドライバーボード４４０ａ、４４０ｂと、サステイン期間にＹサステインパルスを発生するＹサステインボード４６０ａ、４６０ｂとを、それぞれ複数個備える。スキャンドライバーボード４４０ａ、４４０ｂおよびＹサステインボード４６０ａ、４６０ｂの個数は、ＰＤＰの画面サイズに比例して備えられる。このように複数個のスキャンドライバーボード４４０ａ、４４０ｂおよびＹサステインボード４６０ａ、４６０ｂを備えたスキャン駆動部４５０は、Ｙフレキシブルプリント回路フィルム（ＦＰＣ）５１０ａ、５１０ｂを経由して、スキャンドライバーボード４４０ａ、４４０ｂから生成したスキャンパルスをＰＤＰ４００のスキャン電極Ｙ１乃至Ｙｎに供給し、スキャンドライバーボード４４０ａ、４４０ｂおよびＹ ＦＰＣ５１０ａ、５１０ｂを経由して、Ｙサステインボード４６０ａ、４６０ｂから生成したＹサステインパルスをスキャン電極Ｙ１乃至Ｙｍに供給する。
【００４３】
サステイン駆動部４７０は、ＰＤＰ４００の駆動の際、導電性の連結パッド７００で共通連結されたサステイン電極Ｚ１乃至Ｚｎに、アドレス期間の間、バイアスパルスを供給し、サステイン期間の間、Ｚサステインパルスを供給する少なくとも二つ以上のＺサステインボード４８０ａ、４８０ｂと、Ｚサステインボード４８０ａ、４８０ｂを電気的に連結し、Ｚサステインボード４８０ａ、４８０ｂ間の駆動ばらつきによる電流を疎通させる電流疎通部６９０と、を備える。Ｚサステインボード４８０ａは、ＦＰＣ５２０ａを介して連結パッド７００に電気的に接続されており、Ｚサステインボード４８０ｂは、ＦＰＣ５２０ｂを介して連結パッド７００に電気的に接続されている。
【００４４】
Ｚサステインボード４８０ａ、４８０ｂの個数は、ＰＤＰ４００の画面サイズに比例して備えられる。これにより、ＰＤＰ４００の大型化により要求される駆動ボードの大型化による製造費用の上昇の問題を解決する。
【００４５】
電流疎通部６９０は、少なくとも二つ以上のＺサステインボード４８０ａ、４８０ｂを用いて導電性の連結パッド７００で共通連結されたサステイン電極Ｚ１乃至Ｚｎを駆動することにより発生する電流、すなわち、各Ｚサステインボード４８０ａ、４８０ｂ間の駆動ばらつきによる電流を電流疎通部６９０を介して、Ｚサステインボード４８０ａ、４８０ｂ間に疎通させることにより、導電性の連結パッド７００付近のサステイン電極Ｚ１乃至Ｚｎの損傷を防止する。
【００４６】
図８に示すように、サステイン電極Ｚ１乃至Ｚｎを少なくとも二つ以上の電極群Ｙ１乃至Ｙｎ／２、Ｙｎ／２＋１乃至Ｙｎに分割し、電極群毎に導電性の連結パッド８００ａ、８００ｂで連結し、電極群毎に電気的に分離して駆動する方案も講じられる。ＰＤＰ４００のサイズは、７０インチ以上であってもよい。
【００４７】
電流疎通部６９０の抵抗値は、連結パッド７００の抵抗値よりも小さくすることが好ましい。このように、抵抗値に反比例する電流の特性を用いて、Ｚサステインボード４８０ａ、４８０ｂ間の駆動ばらつきによる電流を電流疎通部６９０を介して、より多く疎通することにより、導電性の連結パッド７００付近のサステイン電極Ｚ１乃至Ｚｎの損傷を防止する。
【００４８】
電流疎通部６９０は、製造費用または製造の容易性を考慮し、プリント基板（ＰＣＢ）、フレキシブルプリント回路フィルム（ＦＰＣ）、導電性金属物質のいずれか一つを用いて構成することが好ましい。
【００４９】
電流疎通部６９０は、Ｚサステインボード４８０ａ、４８０ｂの出力端を電気的に連結して構成することが好ましい。これにより、Ｚサステインボード４８０ａ、４８０ｂ間の駆動ばらつきによる電流を電流疎通部６９０を介して、より効率よく疎通させる。
【００５０】
データ駆動部４９０は、ＰＤＰ４００の駆動の際に、アドレス期間にデータパルスを発生するデータドライバーボード５００を有し、このようなデータパルスは、Ｘ ＦＰＣ５４０を経由して、ＰＤＰ４００のデータ電極Ｘ１乃至Ｘｍに供給される。
【００５１】
制御盤４２０は、スキャン駆動部４５０、サステイン駆動部４７０、データ駆動部４９０のタイミング制御信号を生成し、第１のＦＰＣ５６０ａ、５６０ｂを経由して、Ｙタイミング制御信号をスキャン駆動部４５０へ、第２のＦＰＣ５８０ａ、５８０ｂを経由して、Ｚタイミング制御信号をサステイン駆動部４７０へ、第３のＦＰＣ６００を経由して、Ｘタイミング制御信号をデータ駆動部４９０へ供給する。
【００５２】
以上説明した内容を通じて、当業者であれば、本発明の技術思想を逸脱しない範囲で多様な変更及び修正が可能であるということが分かる。したがって、本発明の技術的範囲は、明細書の詳細な説明に記載された内容に限定されるものではなく、特許請求の範囲により決まらねばならない。
【図面の簡単な説明】
【００５３】
【図１】従来の交流型ＰＤＰを構成する一つの放電セルを拡大して示す図である。
【図２】図１に示した放電セルを含むＰＤＰの全体的な電極配置の構造を示す図である。
【図３】複数のサブフィールドの１サブフィールドにおいて、図２に示したＰＤＰに供給される一般の駆動波形を示す図である。
【図４】従来のプラズマディスプレイ装置を示す図である。
【図５】Ｚサステインボードの分割によるサステインパルスの駆動ばらつきを示す図である。
【図６】本発明の一実施の形態に係るプラズマディスプレイ装置を示す図である。
【図７】図６をサステイン電極の一構造と連関させて示す概略図である。
【図８】図６をサステイン電極の他の構造と連関させて示す概略図である。
【符号の説明】
【００５４】
４２０  コントロールボード
４４０ａ、４４０ｂ  スキャンドライバーボード
４６０ａ、４６０ｂ  Ｙサステインボード
４８０ａ、４８０ｂ  Ｚサステインボード
５００  データドライバーボード
【図１】
2007156472.tif 000003
【図２】
2007156472.tif 000004
【図３】
2007156472.tif 000005
【図４】
2007156472.tif 000006
【図５】
2007156472.tif 000007
【図６】
2007156472.tif 000008
【図７】
2007156472.tif 000009
【図８】
2007156472.tif 000010